(57)【要約】【課題】  発電機能と照度検出機能とを果たすことが可能な有機薄膜太陽電池モジュールおよび電子機器を提供すること。【解決手段】  透明な支持基板４１と、透明な第１導電層１と、第２導電層２と、光電変換層３と、を備える有機薄膜太陽電池モジュールＡ１であって、第１導電層は、第１発電領域１Ａおよび第１照度検出領域１Ｂを有しており、第２導電層２は、第２発電領域２Ａと、第２照度検出領域２Ｂと、を有しており、光電変換層３は、光電変換層発電領域３Ａと、光電変換層照度検出領域３Ｂと、を有し、第１発電領域１Ａは、光電変換層発電領域３Ａにおいて発電された電力を出力するための一対の発電用端子１４１，１５１を有し、第１照度検出領域は、光電変換層照度検出領域に受けた光の照度に応じた起電力を照度検出信号として出力するための一対の照度検出用端子１７９，１８５を有する。【選択図】  図１
2017174999.tif 000002
【特許請求の範囲】
【請求項１】
透明な支持基板と、
前記支持基板に積層された透明な第１導電層と、
第２導電層と、
前記第１導電層および前記第２導電層に挟まれた有機薄膜からなる光電変換層と、
を備える有機薄膜太陽電池モジュールであって、
前記第１導電層は、前記支持基板の一部が前記第１導電層から露出した第１基板露出領域を介して区画された第１発電領域および第１照度検出領域を有しており、
前記第２導電層は、平面視において前記第１発電領域に重なる第２発電領域と、平面視において前記第１照度検出領域に重なる第２照度検出領域と、を有しており、
前記光電変換層は、平面視において前記第１発電領域および前記第２発電領域に重なる光電変換層発電領域と、平面視において前記第１照度検出領域および前記第２照度検出領域に重なる光電変換層照度検出領域と、を有し、
前記第１発電領域は、前記光電変換層発電領域において発電された電力を出力するための一対の発電用端子を有し、
前記第１照度検出領域は、前記光電変換層照度検出領域に受けた光の照度に応じた起電力を照度検出信号として出力するための一対の照度検出用端子を有する、
ことを特徴とする、有機薄膜太陽電池モジュール。
【請求項２】
前記第１導電層の前記第１発電領域は、前記支持基板の一部が前記第１導電層から露出した第２基板露出領域を介して隣り合う２つの第１区画部を有しており、
前記第２導電層の前記第２発電領域は、前記第２基板露出領域の一部を挟んで隣り合う２つの第２区画部を有している、請求項１に記載の有機薄膜太陽電池モジュール。
【請求項３】
前記隣り合う２つのうち一方の前記第１区画部は、前記第２基板露出領域を規定する第１区画部第１端縁を有し、
前記隣り合う２つのうち他方の前記第１区画部は、前記第２基板露出領域を規定する第１区画部第２端縁を有し、
前記隣り合う２つのうち一方の前記第２区画部は、平面視において前記隣り合う２つのうち一方の前記第１区画部に重なっているとともに、前記隣り合う２つのうち一方の前記第１区画部の前記第１区画部第１端縁に対して前記隣り合う２つのうち他方の前記第１区画部の前記第１区画部第２端縁とは反対側に位置する第２区画部第１端縁を有し、
前記隣り合う２つのうち他方の前記第２区画部は、平面視において前記隣り合う２つのうち一方の前記第２区画部第１端縁と対向する第２区画部第２端縁を有し、
前記光電変換層の前記光電変換層発電領域は、平面視において前記隣り合う２つのうち一方の前記第１区画部および前記隣り合う２つのうち他方の前記第２区画部の双方と重なる部分であって前記隣り合う２つのうち一方の前記第１区画部の前記第１区画部第１端縁のうち前記隣り合う２つのうち他方の前記第２区画部に重なる第１被覆部および前記隣り合う２つのうち他方の前記第２区画部の前記第２区画部第２端縁によって区画された光電変換層接続部に、厚さ方向に貫通する光電変換層貫通部を有し、
前記第２基板露出領域は、前記隣り合う２つのうち他方の前記第２区画部の前記第２区画部第２端縁と交差する１以上の交差部を有する、請求項２に記載の有機薄膜太陽電池モジュール。
【請求項４】
前記隣り合う２つのうち一方の前記第１区画部は、平面視において前記光電変換層接続部と重ならず且つ前記第２導電層と重なる第１電極部を有し、
前記隣り合う２つのうち一方の前記第２区画部は、平面視において前記第１電極部と一致する第２電極部を有し、
前記光電変換層の前記光電変換層発電領域は、平面視において前記第１電極部および前記第２電極部と一致する光電変換層発電部を有する、請求項３に記載の有機薄膜太陽電池モジュール。
【請求項５】
前記隣り合う２つのうち一方の前記第１区画部は、平面視において前記光電変換層接続部と一致する第１接続部を有し、
前記隣り合う２つのうち他方の前記第２区画部は、平面視において前記光電変換層接続部と一致する第２接続部を有する、請求項４に記載の有機薄膜太陽電池モジュール。
【請求項６】
平面視における前記２つの第１区画部が並ぶ方向と交差する方向において、前記光電変換層接続部と前記光電変換層発電部の一部とが隣り合っている、請求項５に記載の有機薄膜太陽電池モジュール。
【請求項７】
平面視における前記２つの第１区画部が並ぶ方向と交差する方向において、前記光電変換層接続部の両側に前記光電変換層発電部が位置する、請求項５に記載の有機薄膜太陽電池モジュール。
【請求項８】
前記光電変換層貫通部は、平面視円形状である、請求項５ないし７のいずれかに記載の有機薄膜太陽電池モジュール。
【請求項９】
前記隣り合う２つのうち一方の前記第１区画部の前記第１接続部は、平面視において前記光電変換層貫通部に内包され且つ厚さ方向に貫通する第１貫通部を有する、請求項５ないし８のいずれかに記載の有機薄膜太陽電池モジュール。
【請求項１０】
前記第１貫通部の内端縁は、平面視において前記光電変換層貫通部の内端縁から離間している、請求項９に記載の有機薄膜太陽電池モジュール。
【請求項１１】
前記隣り合う２つのうち一方の前記第１区画部の前記第１接続部は、平面視における前記光電変換層貫通部に内包される領域において前記支持基板を覆っている、請求項５ないし８のいずれかに記載の有機薄膜太陽電池モジュール。
【請求項１２】
前記隣り合う２つのうち他方の前記第２区画部は、前記第２区画部第２端縁に繋がり且つ前記隣り合う２つのうち一方の前記第２区画部から離間する側に延びる第２区画部第３端縁を有し、
前記第２基板露出領域は、前記隣り合う２つのうち他方の前記第２区画部の前記第２区画部第２端縁と前記第２区画部第３端縁との一箇所ずつと交差する２つの前記交差部を有する、請求項５ないし１１のいずれかに記載の有機薄膜太陽電池モジュール。
【請求項１３】
前記第２基板露出領域は、前記隣り合う２つのうち他方の前記第２区画部の前記第２区画部第２端縁の二箇所と交差する２つの前記交差部を有する、請求項５ないし１１のいずれかに記載の有機薄膜太陽電池モジュール。
【請求項１４】
平面視において前記２つの第２区画部と重ならない領域において、前記隣り合う２つのうち一方の前記第１区画部の前記第１区画部第１端縁は、第１辺を有し、前記隣り合う２つのうち他方の前記第１区画部の前記第１区画部第２端縁は、前記第１辺と平行である第２辺を有する、請求項５ないし１３のいずれかに記載の有機薄膜太陽電池モジュール。
【請求項１５】
前記第１辺および前記第２辺は、直線状である、請求項１４に記載の有機薄膜太陽電池モジュール。
【請求項１６】
前記隣り合う２つのうち一方の前記第２区画部の前記第２区画部第１端縁と前記隣り合う２つのうち他方の前記第２区画部の前記第２区画部第２端縁とは、互いに平行である、請求項１４または１５に記載の有機薄膜太陽電池モジュール。
【請求項１７】
前記隣り合う２つのうち一方の前記第２区画部の前記第２区画部第１端縁と前記隣り合う２つのうち他方の前記第２区画部の前記第２区画部第２端縁は、直線状である、請求項１６に記載の有機薄膜太陽電池モジュール。
【請求項１８】
前記隣り合う２つのうち一方の前記第１区画部の前記第１辺、前記隣り合う２つのうち他方の前記第１区画部の前記第２辺、前記隣り合う２つのうち一方の前記第２区画部の前記第２区画部第１端縁および前記隣り合う２つのうち他方の前記第２区画部の前記第２区画部第２端縁は、互いに平行である、請求項１４に記載の有機薄膜太陽電池モジュール。
【請求項１９】
前記第１辺、前記第２辺、前記第２区画部第１端縁および前記第２区画部第２端縁は、直線状である、請求項１８に記載の有機薄膜太陽電池モジュール。
【請求項２０】
隣り合う３以上の前記第１区画部および隣り合う３以上の前記第２区画部が、配列されている、請求項５ないし１９のいずれかに記載の有機薄膜太陽電池モジュール。
【請求項２１】
隣り合う３以上の前記第１区画部および隣り合う３以上の前記第２区画部が、一直線上に配列されている、請求項２０に記載の有機薄膜太陽電池モジュール。
【請求項２２】
前記隣り合う３以上の第２区画部のうち２つの前記第２区画部の間にある前記第２区画部は、前記第２区画部第１端縁および前記第２区画部第２端縁と、前記第２区画部第１端縁および前記第２区画部第２端縁の両端同士を繋ぐ２つの第２区画部第３端縁と、を有する、請求項２０または２１に記載の有機薄膜太陽電池モジュール。
【請求項２３】
前記隣り合う３以上の第２区画部のうち２つの前記第２区画部の間にある前記第２区画部の前記第２区画部第１端縁と前記第２区画部第２端縁とは、互いに平行である、請求項２２に記載の有機薄膜太陽電池モジュール。
【請求項２４】
前記隣り合う３以上の第２区画部のうち２つの前記第２区画部の間にある前記第２区画部の前記２つの第２区画部第３端縁は、互いに平行である、請求項２３に記載の有機薄膜太陽電池モジュール。
【請求項２５】
前記隣り合う３以上の第２区画部のうち２つの前記第２区画部の間にある前記第２区画部の前記第２区画部第１端縁および前記第２区画部第２端縁と前記２つの第２区画部第３端縁とは、互いに直角である、請求項２４に記載の有機薄膜太陽電池モジュール。
【請求項２６】
前記第１導電層の前記第１発電領域は、平面視において前記光電変換層接続部に一致する外部接続部と、前記発電用端子と、を有する第３区画部を有する、請求項５ないし２５のいずれかに記載の有機薄膜太陽電池モジュール。
【請求項２７】
前記第１導電層の前記第１照度検出領域は、前記支持基板の一部が前記第１導電層の前記第１照度検出領域から露出した第３基板露出領域を介して隣り合う第１照度検出区画部および第４区画部を有しており、
前記第２導電層の前記第２発電領域は、平面視において前記第１照度検出区画部および前記第４区画部の双方に重なる第２照度検出区画部を有している、請求項１ないし２６のいずれかに記載の有機薄膜太陽電池モジュール。
【請求項２８】
前記第４区画部は、前記第３基板露出領域を規定する第４区画部第１端縁を有し、
前記第１照度検出区画部は、前記第３基板露出領域を規定する第１照度検出区画部第２端縁を有し、
前記第２照度検出区画部は、第２照度検出区画部第２端縁を有し、
前記光電変換層の前記光電変換層照度検出領域は、平面視において前記第４区画部および前記第２照度検出区画部の双方と重なる部分であって前記第４区画部第１端縁のうち前記第２照度検出区画部に重なる第１照度検出被覆部および前記第２照度検出区画部第２端縁によって区画された光電変換層照度検出接続部に、厚さ方向に貫通する光電変換層照度検出貫通部を有し、
前記第３基板露出領域は、前記第２照度検出区画部の前記第２照度検出部区画部第２端縁と交差する１以上の交差部を有する、請求項２７に記載の有機薄膜太陽電池モジュール。
【請求項２９】
前記第２導電層を覆うパッシベーション層を備える、請求項１ないし２８のいずれかに記載の有機薄膜太陽電池モジュール。
【請求項３０】
前記パッシベーション層は、ＳｉＮまたはＳｉＯＮからなる、請求項２９に記載の有機薄膜太陽電池モジュール。
【請求項３１】
前記パッシベーション層に対して前記支持基板とは反対側に配置された副基板をさらに備える、請求項２９または３０に記載の有機薄膜太陽電池モジュール。
【請求項３２】
前記発電用端子に導通し、且つ前記副基板の表面に形成された表面部を有する発電用電極をさらに備える、請求項３１に記載の有機薄膜太陽電池モジュール。
【請求項３３】
前記発電用電極は、前記副基板の少なくとも一部を覆い且つ前記発電用端子に接する側面部を有する、請求項３２に記載の有機薄膜太陽電池モジュール。
【請求項３４】
前記発電用電極は、Ａｇペーストからなる、請求項３２または３３に記載の有機薄膜太陽電池モジュール。
【請求項３５】
前記照度検出用端子に導通し、且つ前記副基板の表面に形成された表面部を有する照度検出用電極をさらに備える、請求項３１ないし３４のいずれかに記載の有機薄膜廃用電池モジュール。
【請求項３６】
前記照度検出用電極は、前記副基板の少なくとも一部を覆い且つ前記発電用端子に接する側面部を有する、請求項３５に記載の有機薄膜太陽電池モジュール。
【請求項３７】
前記照度検出用電極は、Ａｇペーストからなる、請求項３５または３６に記載の有機薄膜太陽電池モジュール。
【請求項３８】
前記第１導電層は、ＩＴＯからなる、請求項１ないし３７のいずれかに記載の有機薄膜太陽電池モジュール。
【請求項３９】
前記第２導電層は、金属からなる、請求項１ないし３８のいずれかに記載の有機薄膜太陽電池モジュール。
【請求項４０】
前記第２導電層は、Ａｌからなる、請求項１ないし３９のいずれかに記載の有機薄膜太陽電池モジュール。
【請求項４１】
請求項１ないし４０のいずれかに記載の有機薄膜太陽電池モジュールと、
前記有機薄膜太陽電池モジュールの前記発電用端子を介した給電によって駆動する駆動部と、
前記有機薄膜太陽電池モジュールの前記照度検出端子を介した検出信号を受ける制御部と、
を備えることを特徴とする、電子機器。
【発明の詳細な説明】
【技術分野】
【０００１】
本発明は、有機薄膜太陽電池モジュールおよび電子機器に関する。
【背景技術】
【０００２】
太陽電池は、太陽光をはじめとする光を電力に変換する光電変換機能を備えており、いわゆる再生可能エネルギーを利用した発電手段として開発が進められている。有機薄膜太陽電池は、太陽電池の一種である。特許文献１には、有機薄膜からなる光電変換層と、この光電変換層を挟む第１導電層および第２導電層を備える構成が開示されている。第１導電層は、たとえばＩＴＯなどの透明導電層とされている。
【０００３】
有機薄膜太陽電池モジュールは、たとえば電子機器の電源として用いられる。かかる電子機器においては、有機薄膜太陽電池モジュールの他に、種々の機能を果たす電子素子を搭載する必要がある。このような電子素子の一例としては、たとえば、電子機器の周囲環境における明るさの検出があげられる。
【先行技術文献】
【特許文献】
【０００４】
【特許文献１】特開２０１４−１９２１９６号公報
【発明の概要】
【発明が解決しようとする課題】
【０００５】
本発明は、上記した事情のもとで考え出されたものであって、発電機能と照度検出機能とを果たすことが可能な有機薄膜太陽電池モジュールおよび電子機器を提供することをその課題とする。
【課題を解決するための手段】
【０００６】
本発明の第１の側面によって提供される有機薄膜太陽電池モジュールは、透明な支持基板と、前記支持基板に積層された透明な第１導電層と、第２導電層と、前記第１導電層および前記第２導電層に挟まれた有機薄膜からなる光電変換層と、を備える有機薄膜太陽電池モジュールであって、前記第１導電層は、前記支持基板の一部が前記第１導電層から露出した第１基板露出領域を介して区画された第１発電領域および第１照度検出領域を有しており、前記第２導電層は、平面視において前記第１発電領域に重なる第２発電領域と、平面視において前記第１照度検出領域に重なる第２照度検出領域と、を有しており、前記光電変換層は、平面視において前記第１発電領域および前記第２発電領域に重なる光電変換層発電領域と、平面視において前記第１照度検出領域および前記第２照度検出領域に重なる光電変換層照度検出領域と、を有し、前記第１発電領域は、前記光電変換層発電領域において発電された電力を出力するための一対の発電用端子を有し、前記第１照度検出領域は、前記光電変換層照度検出領域に受けた光の照度に応じた起電力を照度検出信号として出力するための一対の照度検出用端子を有する、ことを特徴としている。
【０００７】
本発明の好ましい実施の形態においては、前記第１導電層の前記第１発電領域は、前記支持基板の一部が前記第１導電層から露出した第２基板露出領域を介して隣り合う２つの第１区画部を有しており、前記第２導電層の前記第２発電領域は、前記第２基板露出領域の一部を挟んで隣り合う２つの第２区画部を有している。
【０００８】
本発明の好ましい実施の形態においては、前記隣り合う２つのうち一方の前記第１区画部は、前記第２基板露出領域を規定する第１区画部第１端縁を有し、前記隣り合う２つのうち他方の前記第１区画部は、前記第２基板露出領域を規定する第１区画部第２端縁を有し、前記隣り合う２つのうち一方の前記第２区画部は、平面視において前記隣り合う２つのうち一方の前記第１区画部に重なっているとともに、前記隣り合う２つのうち一方の前記第１区画部の前記第１区画部第１端縁に対して前記隣り合う２つのうち他方の前記第１区画部の前記第１区画部第２端縁とは反対側に位置する第２区画部第１端縁を有し、前記隣り合う２つのうち他方の前記第２区画部は、平面視において前記隣り合う２つのうち一方の前記第２区画部第１端縁と対向する第２区画部第２端縁を有し、前記光電変換層の前記光電変換層発電領域は、平面視において前記隣り合う２つのうち一方の前記第１区画部および前記隣り合う２つのうち他方の前記第２区画部の双方と重なる部分であって前記隣り合う２つのうち一方の前記第１区画部の前記第１区画部第１端縁のうち前記隣り合う２つのうち他方の前記第２区画部に重なる第１被覆部および前記隣り合う２つのうち他方の前記第２区画部の前記第２区画部第２端縁によって区画された光電変換層接続部に、厚さ方向に貫通する光電変換層貫通部を有し、前記第２基板露出領域は、前記隣り合う２つのうち他方の前記第２区画部の前記第２区画部第２端縁と交差する１以上の交差部を有する。
【０００９】
本発明の好ましい実施の形態においては、前記隣り合う２つのうち一方の前記第１区画部は、平面視において前記光電変換層接続部と重ならず且つ前記第２導電層と重なる第１電極部を有し、前記隣り合う２つのうち一方の前記第２区画部は、平面視において前記第１電極部と一致する第２電極部を有し、前記光電変換層の前記光電変換層発電領域は、平面視において前記第１電極部および前記第２電極部と一致する光電変換層発電部を有する。
【００１０】
本発明の好ましい実施の形態においては、前記隣り合う２つのうち一方の前記第１区画部は、平面視において前記光電変換層接続部と一致する第１接続部を有し、前記隣り合う２つのうち他方の前記第２区画部は、平面視において前記光電変換層接続部と一致する第２接続部を有する。
【００１１】
本発明の好ましい実施の形態においては、平面視における前記２つの第１区画部が並ぶ方向と交差する方向において、前記光電変換層接続部と前記光電変換層発電部の一部とが隣り合っている。
【００１２】
本発明の好ましい実施の形態においては、平面視における前記２つの第１区画部が並ぶ方向と交差する方向において、前記光電変換層接続部の両側に前記光電変換層発電部が位置する。
【００１３】
本発明の好ましい実施の形態においては、前記光電変換層貫通部は、平面視円形状である。
【００１４】
本発明の好ましい実施の形態においては、前記隣り合う２つのうち一方の前記第１区画部の前記第１接続部は、平面視において前記光電変換層貫通部に内包され且つ厚さ方向に貫通する第１貫通部を有する。
【００１５】
本発明の好ましい実施の形態においては、前記第１貫通部の内端縁は、平面視において前記光電変換層貫通部の内端縁から離間している。
【００１６】
本発明の好ましい実施の形態においては、前記隣り合う２つのうち一方の前記第１区画部の前記第１接続部は、平面視における前記光電変換層貫通部に内包される領域において前記支持基板を覆っている。
【００１７】
本発明の好ましい実施の形態においては、前記隣り合う２つのうち他方の前記第２区画部は、前記第２区画部第２端縁に繋がり且つ前記隣り合う２つのうち一方の前記第２区画部から離間する側に延びる第２区画部第３端縁を有し、前記第２基板露出領域は、前記隣り合う２つのうち他方の前記第２区画部の前記第２区画部第２端縁と前記第２区画部第３端縁との一箇所ずつと交差する２つの前記交差部を有する。
【００１８】
本発明の好ましい実施の形態においては、前記第２基板露出領域は、前記隣り合う２つのうち他方の前記第２区画部の前記第２区画部第２端縁の二箇所と交差する２つの前記交差部を有する。
【００１９】
本発明の好ましい実施の形態においては、平面視において前記２つの第２区画部と重ならない領域において、前記隣り合う２つのうち一方の前記第１区画部の前記第１区画部第１端縁は、第１辺を有し、前記隣り合う２つのうち他方の前記第１区画部の前記第１区画部第２端縁は、前記第１辺と平行である第２辺を有する。
【００２０】
本発明の好ましい実施の形態においては、前記第１辺および前記第２辺は、直線状である。
【００２１】
本発明の好ましい実施の形態においては、前記隣り合う２つのうち一方の前記第２区画部の前記第２区画部第１端縁と前記隣り合う２つのうち他方の前記第２区画部の前記第２区画部第２端縁とは、互いに平行である。
【００２２】
本発明の好ましい実施の形態においては、前記隣り合う２つのうち一方の前記第２区画部の前記第２区画部第１端縁と前記隣り合う２つのうち他方の前記第２区画部の前記第２区画部第２端縁は、直線状である。
【００２３】
本発明の好ましい実施の形態においては、前記隣り合う２つのうち一方の前記第１区画部の前記第１辺、前記隣り合う２つのうち他方の前記第１区画部の前記第２辺、前記隣り合う２つのうち一方の前記第２区画部の前記第２区画部第１端縁および前記隣り合う２つのうち他方の前記第２区画部の前記第２区画部第２端縁は、互いに平行である。
【００２４】
本発明の好ましい実施の形態においては、前記第１辺、前記第２辺、前記第２区画部第１端縁および前記第２区画部第２端縁は、直線状である。
【００２５】
本発明の好ましい実施の形態においては、隣り合う３以上の前記第１区画部および隣り合う３以上の前記第２区画部が、配列されている。
【００２６】
本発明の好ましい実施の形態においては、隣り合う３以上の前記第１区画部および隣り合う３以上の前記第２区画部が、一直線上に配列されている。
【００２７】
本発明の好ましい実施の形態においては、前記隣り合う３以上の第２区画部のうち２つの前記第２区画部の間にある前記第２区画部は、前記第２区画部第１端縁および前記第２区画部第２端縁と、前記第２区画部第１端縁および前記第２区画部第２端縁の両端同士を繋ぐ２つの第２区画部第３端縁と、を有する。
【００２８】
本発明の好ましい実施の形態においては、前記隣り合う３以上の第２区画部のうち２つの前記第２区画部の間にある前記第２区画部の前記第２区画部第１端縁と前記第２区画部第２端縁とは、互いに平行である。
【００２９】
本発明の好ましい実施の形態においては、前記隣り合う３以上の第２区画部のうち２つの前記第２区画部の間にある前記第２区画部の前記２つの第２区画部第３端縁は、互いに平行である。
【００３０】
本発明の好ましい実施の形態においては、前記隣り合う３以上の第２区画部のうち２つの前記第２区画部の間にある前記第２区画部の前記第２区画部第１端縁および前記第２区画部第２端縁と前記２つの第２区画部第３端縁とは、互いに直角である。
【００３１】
本発明の好ましい実施の形態においては、前記第１導電層の前記第１発電領域は、平面視において前記光電変換層接続部に一致する外部接続部と、前記発電用端子と、を有する第３区画部を有する。
【００３２】
本発明の好ましい実施の形態においては、前記第１導電層の前記第１照度検出領域は、前記支持基板の一部が前記第１導電層の前記第１照度検出領域から露出した第３基板露出領域を介して隣り合う第１照度検出区画部および第４区画部を有しており、前記第２導電層の前記第２発電領域は、平面視において前記第１照度検出区画部および前記第４区画部の双方に重なる第２照度検出区画部を有している。
【００３３】
本発明の好ましい実施の形態においては、前記第４区画部は、前記第３基板露出領域を規定する第４区画部第１端縁を有し、前記第１照度検出区画部は、前記第３基板露出領域を規定する第１照度検出区画部第２端縁を有し、前記第２照度検出区画部は、第２照度検出区画部第２端縁を有し、前記光電変換層の前記光電変換層照度検出領域は、平面視において前記第４区画部および前記第２照度検出区画部の双方と重なる部分であって前記第４区画部第１端縁のうち前記第２照度検出区画部に重なる第１照度検出被覆部および前記第２照度検出区画部第２端縁によって区画された光電変換層照度検出接続部に、厚さ方向に貫通する光電変換層照度検出貫通部を有し、前記第３基板露出領域は、前記第２照度検出区画部の前記第２照度検出部区画部第２端縁と交差する１以上の交差部を有する。
【００３４】
本発明の好ましい実施の形態においては、前記第２導電層を覆うパッシベーション層を備える。
【００３５】
本発明の好ましい実施の形態においては、前記パッシベーション層は、ＳｉＮまたはＳｉＯＮからなる。
【００３６】
本発明の好ましい実施の形態においては、前記パッシベーション層に対して前記支持基板とは反対側に配置された副基板をさらに備える。
【００３７】
本発明の好ましい実施の形態においては、前記発電用端子に導通し、且つ前記副基板の表面に形成された表面部を有する発電用電極をさらに備える。
【００３８】
本発明の好ましい実施の形態においては、前記発電用電極は、前記副基板の少なくとも一部を覆い且つ前記発電用端子に接する側面部を有する。
【００３９】
本発明の好ましい実施の形態においては、前記発電用電極は、Ａｇペーストからなる。
【００４０】
本発明の好ましい実施の形態においては、前記照度検出用端子に導通し、且つ前記副基板の表面に形成された表面部を有する照度検出用電極をさらに備える。
【００４１】
本発明の好ましい実施の形態においては、前記照度検出用電極は、前記副基板の少なくとも一部を覆い且つ前記発電用端子に接する側面部を有する。
【００４２】
本発明の好ましい実施の形態においては、前記照度検出用電極は、Ａｇペーストからなる。
【００４３】
本発明の好ましい実施の形態においては、前記第１導電層は、ＩＴＯからなる。
【００４４】
本発明の好ましい実施の形態においては、前記第２導電層は、金属からなる。
【００４５】
本発明の好ましい実施の形態においては、前記第２導電層は、Ａｌからなる。
【００４６】
本発明第２の側面によって提供される電子機器は、本発明の第１の側面によって提供される有機薄膜太陽電池モジュールと、前記有機薄膜太陽電池モジュールの前記発電用端子を介した給電によって駆動する駆動部と、前記有機薄膜太陽電池モジュールの前記照度検出端子を介した検出信号を受ける制御部と、を備えることを特徴としている。
【発明の効果】
【００４７】
本発明によれば、前記有機薄膜太陽電池モジュールによって発電機能と照度検出機能とを果たすことができる。
【００４８】
本発明のその他の特徴および利点は、添付図面を参照して以下に行う詳細な説明によって、より明らかとなろう。
【図面の簡単な説明】
【００４９】
【図１】本発明の第１実施形態に基づく有機薄膜太陽電池モジュールを示す要部平面図である。
【図２】図１のＩＩ−ＩＩ線に沿う断面図である。
【図３】本発明の第１実施形態に基づく有機薄膜太陽電池モジュールを示す要部拡大平面図である。
【図４】図３のＩＶ−ＩＶ線に沿う要部拡大断面図である。
【図５】図３のＶ−Ｖ線に沿う要部拡大断面図である。
【図６】本発明の第１実施形態に基づく有機薄膜太陽電池モジュールを示す要部拡大平面図である。
【図７】図６のＶＩＩ−ＶＩＩ線に沿う要部拡大断面図である。
【図８】本発明の第１実施形態に基づく有機薄膜太陽電池モジュールを示す要部拡大平面図である。
【図９】図８のＩＸ−ＩＸ線に沿う要部拡大断面図である。
【図１０】図１のＸ−Ｘ線に沿う要部拡大断面図である。
【図１１】図１のＸＩ−ＸＩ線に沿う要部拡大断面図である。
【図１２】図１のＸＩＩ−ＸＩＩ線に沿う要部拡大断面図である。
【図１３】図１のＸＩＩＩ−ＸＩＩＩ線に沿う要部拡大断面図である。
【図１４】本発明の第１実施形態に基づく有機薄膜太陽電池モジュールおよび電子機器を示すシステム構成図である。
【図１５】本発明の第１実施形態に基づく有機薄膜太陽電池モジュールの製造方法の一例を示す要部拡大平面図である。
【図１６】本発明の第１実施形態に基づく有機薄膜太陽電池モジュールの製造方法の一例を示す要部拡大断面図である。
【図１７】本発明の第１実施形態に基づく有機薄膜太陽電池モジュールの製造方法の一例を示す要部拡大平面図である。
【図１８】本発明の第１実施形態に基づく有機薄膜太陽電池モジュールの製造方法の一例を示す要部拡大断面図である。
【図１９】本発明の第１実施形態に基づく有機薄膜太陽電池モジュールの製造方法の一例を示す要部拡大平面図である。
【図２０】本発明の第１実施形態に基づく有機薄膜太陽電池モジュールの製造方法の一例を示す要部拡大断面図である。
【図２１】本発明の第１実施形態に基づく有機薄膜太陽電池モジュールの変形例を示す要部拡大平面図である。
【図２２】本発明の第１実施形態に基づく有機薄膜太陽電池モジュールの製造方法の一例を示す要部拡大断面図である。
【図２３】本発明の第１実施形態に基づく有機薄膜太陽電池モジュールの変形例を示す要部拡大断面図である。
【図２４】本発明の第２実施形態に基づく有機薄膜太陽電池モジュールを示す要部拡大平面図である。
【図２５】本発明の第３実施形態に基づく有機薄膜太陽電池モジュールを示す要部拡大平面図である。
【図２６】本発明の第４実施形態に基づく有機薄膜太陽電池モジュールを示す要部拡大平面図である。
【図２７】本発明の第５実施形態に基づく有機薄膜太陽電池モジュールを示す要部平面図である。
【図２８】本発明の第６実施形態に基づく有機薄膜太陽電池モジュールを示す要部平面図である。
【図２９】本発明の第７実施形態に基づく有機薄膜太陽電池モジュールを示す要部平面図である。
【図３０】図２９のＸＸＸ−ＸＸＸ線に沿う要部拡大断面図である。
【発明を実施するための形態】
【００５０】
以下、本発明の好ましい実施の形態につき、図面を参照して具体的に説明する。
【００５１】
本発明において、「透明」とは、透過率が約５０％以上であるものと定義する。また「透明」とは、可視光線に対して、無色透明という意味でも使用する。可視光線は波長約３６０ｎｍ〜８３０ｎｍ程度、エネルギー約３．４５ｅＶ〜１．４９ｅＶ程度に相当し、この領域で透過率が５０％以上あれば透明である。
【００５２】
図１〜図１３は、本発明の第１実施形態に基づく有機薄膜太陽電池モジュール示している。図１４は、本発明の第１実施形態に基づく電子機器を示している。
【００５３】
図１は、有機薄膜太陽電池モジュールＡ１を示す要部平面図である。図２は、図１のＩＩ−ＩＩ線に沿う断面図である。図３は、有機薄膜太陽電池モジュールＡ１を示す要部拡大平面図である。図４は、図３のＩＶ−ＩＶ線に沿う要部拡大断面図である。図５は、図３のＶ−Ｖ線に沿う要部拡大断面図である。図６は、有機薄膜太陽電池モジュールＡ１を示す要部拡大平面図である。図７は、図６のＶＩＩ−ＶＩＩ線に沿う要部拡大断面図である。図８は、有機薄膜太陽電池モジュールＡ１示す要部拡大平面図である。図９は、図９のＸ−Ｘ線に沿う要部拡大断面図である。図１０は、図２のＸ−Ｘ線に沿う要部拡大断面図である。図１１は、図２のＸＩ−ＸＩ線に沿う要部拡大断面図である。図１２は、図２のＸＩＩ−ＸＩＩ線に沿う要部拡大断面図である。図１３は、図２のＸＩＩＩ−ＸＩＩＩ線に沿う要部拡大断面図である。図１４は、有機薄膜太陽電池モジュールＡ１および電子機器Ｂ１を示すシステム構成図である。なお、以降の説明において、「ｚ方向視」は、平面視を意味し、「ｚ方向」は支持基板４１等の厚さ方向を意味する。
【００５４】
図１４に示すように、電子機器Ｂ１は、有機薄膜太陽電池モジュールＡ１、駆動部７１および制御部７２を備える。有機薄膜太陽電池モジュールＡ１は、電子機器Ｂ１における電源モジュールであり、太陽光などの光を電力に変換する。
【００５５】
駆動部７１は、有機薄膜太陽電池モジュールＡ１からの給電によって駆動するものである。駆動部７１の具体的な構成や機能は特に限定されず、電子機器Ｂ１の機能を実現しうる様々な構成が採用され得る。駆動部７１の一例を挙げると、電子計算機器としての電子機器Ｂ１を実現する電子計算処理部、無線通信モジュールとしての電子機器Ｂ１を実現する無線通信部、腕時計としての電子機器Ｂ１を実現しうる計時処理部、携帯型電子端末機器としての電子機器Ｂ１を実現しうる入出力演算処理部、等が挙げられる。
【００５６】
制御部７２は、有機薄膜太陽電池モジュールＡ１からの照度検出信号を受けることにより、照度に対応して制御を行うものである。制御部７２は、たとえばＣＰＵである。なお、駆動部７１と制御部７２とが一体的に構成されたものであってもよい。
【００５７】
有機薄膜太陽電池モジュールＡ１は、支持基板４１、第１導電層１、第２導電層２、光電変換層３、パッシベーション層４２、副基板４３、一対の発電用電極５１，５２および一対の照度検出用電極５３，５４を備える。本実施形態においては、有機薄膜太陽電池モジュールＡ１は、ｚ方向視矩形状とされているが、これは有機薄膜太陽電池モジュールＡ１の形状の一例であり、様々な形状に設定されうる。図１、図３、図６および図８においては、理解の便宜上、パッシベーション層４２および副基板４３を省略している。
【００５８】
支持基板４１は、有機薄膜太陽電池モジュールＡ１の土台となるものである。支持基板４１は、たとえば透明なガラスあるいは樹脂等から適宜選択される材質からなる、単層もしくは複数層を有する。支持基板４１の厚さは、たとえば０．０５ｍｍ〜２．０ｍｍである。支持基板４１の形状や大きさは特に限定されず、本実施形態においては、ｚ方向視矩形状とされている。支持基板４１は、表面４１ａを有する。
【００５９】
有機薄膜太陽電池モジュールＡ１には、図１に示すように、複数の第２基板露出領域４１０、基板露出領域４１１、基板露出領域４１２、第１基板露出領域４１８および第３基板露出領域４１９が形成されている。複数の第２基板露出領域４１０、基板露出領域４１１、基板露出領域４１２、第１基板露出領域４１８および第３基板露出領域４１９は、支持基板４１のうち第１導電層１から露出した領域である。
【００６０】
第１導電層１は、支持基板４１上に形成されている。第１導電層１は、透明であり、本実施形態においてはＩＴＯからなる。第１導電層１は、第１発電領域１Ａおよび第１照度検出領域１Ｂを有する。第１導電層１の形状は、様々な形状に設定されうる。第１導電層１の厚さは、たとえば１００ｎｍ〜３００ｎｍである。
【００６１】
第１発電領域１Ａおよび第１照度検出領域１Ｂは、第１基板露出領域４１８によって区画された領域である。本実施形態においては、第１発電領域１Ａおよび第１照度検出領域１Ｂは、ｘ方向に並んでいる。
【００６２】
本実施形態においては、第１発電領域１Ａは、複数の第１区画部１１および第３区画部１５を有する。複数の第１区画部１１は、第２基板露出領域４１０を介して隣り合っている。本実施形態においては、７つの第１区画部１１が６つの第２基板露出領域４１０を介して隣り合っている。また、７つの第１区画部１１は、ｘ方向に沿って一直線上に配列されている。なお、以下においては、７つの第１区画部１１を、理解の便宜上、第１区画部１１−１、第１区画部１１−２、第１区画部１１−３、第１区画部１１−４、第１区画部１１−５、第１区画部１１−６および第１区画部１１−７と必要に応じて区別して説明する。
【００６３】
第１区画部１１は、第１区画部第１端縁１１０、第１区画部第２端縁１２０および２つの第１区画部第３端縁１３０を有する。
【００６４】
第１区画部第１端縁１１０は、第２基板露出領域４１０の一部を区画する端縁である。第１区画部第２端縁１２０は、第２基板露出領域４１０の一部を区画する端縁である。すなわち、第２基板露出領域４１０は、一方の第１区画部１１（図中ｘ方向右側、図３における第１区画部１１−２）の第１区画部第１端縁１１０と他方の第１区画部１１（図中ｘ方向左側、図３における第１区画部１１−３）の第１区画部第２端縁１２０とによって既定されている。
【００６５】
本実施形態においては、第１区画部１１−１〜６の第１区画部第１端縁１１０は、第１辺１１１を有し、第１区画部１１−２〜７の第１区画部第２端縁１２０は、第２辺１２１を有する。同一の第２基板露出領域４１０を区画する第１辺１１１（図３における第１区画部１１−２の第１辺１１１）と第２辺１２１（図３における第１区画部１１−３の第２辺１２１）とは、互いに平行である。また、本実施形態においては、第１辺１１１と第２辺１２１とは、いずれもｙ方向に沿う直線状である。これに対応して、本実施形態においては、第２基板露出領域４１０のうち第１辺１１１および第２辺１２１に規定されている部分は、ｙ方向に沿う直線状である。
【００６６】
２つの第１区画部第３端縁１３０は、第１区画部第１端縁１１０の両端と第１区画部第２端縁１２０の両端とをそれぞれ繋いでいる。本実施形態においては、第１区画部第３端縁１３０は、ｘ方向に沿う直線状である。第１区画部第３端縁１３０は、基板露出領域４１２の一部を規定している。本実施形態の１１は、第１区画部第１端縁１１０の第１辺１１１、第１区画部第２端縁１２０の第２辺１２１および２つの第１区画部第３端縁１３０によって構成されたｘ方向視略矩形状とされている。
【００６７】
光電変換層３は、支持基板４１および第１導電層１上に積層されており、第１導電層１と第２導電層２とに挟まれている。光電変換層３は、有機薄膜からなる層であり、受けた光を電力に変換する光電変換機能を発揮する。光電変換層３の具体的構成は特に限定されないが、その一例を挙げると、バルクヘテロ接合有機活性層と、このバルクヘテロ接合有機活性層に対して第１導電層１側に積層された正孔輸送層とからなる。本実施形態においては、光電変換層３は、平面視円形状とされているが、これは一例であり、光電変換層３は、様々な形状とされうる。光電変換層３の厚さは、たとえば５０ｎｍ〜３００ｎｍである。
【００６８】
バルクヘテロ接合有機活性層は、ｐ型有機活性層領域とｎ型有機活性層領域が混在し、複雑なバルクへテロｐｎ接合を形成している。ｐ型有機活性層領域は、例えば、Ｐ３ＨＴ（poly(3-hexylthiophene-2,5diyl)）で形成され、ｎ型有機活性層領域は、例えば、ＰＣＢＭ（6,6-phenyl-C61-butyric acid methyl ester）で形成されている。正孔輸送層は、たとえばＰＥＤＯＴ：ＰＳＳで形成されている。
【００６９】
光電変換層３の形成に用いられる材質を例示すると、フタロシアニン（Ｐｃ:Phthalocyanine）、亜鉛フタロシアニン（ＺｎＰｃ:Zinc- phthalocyanine）、Ｍｅ−Ｐｔｃｄｉ（N,N'-dimethyl perylene-3,4,9,10-dicarboximide）、フラーレン（C 60 :Buckminster fullerene）が挙げられる。これらの材質は、たとえば真空蒸着に使用される。
【００７０】
また、光電変換層３の形成に用いられる他の材質を例示すると、ＭＤＭＯ−ＰＰＶ（poly[2-methoxy-5-(3,7-dimethyl octyloxy)]-1,4-phenylene vinylene）、ＰＣＤＴＢＴ（poly[N-9'-hepta-decanyl-2,7-carbazole-alt-5,5-(4',7'-di-thienyl-2'1',3'-b3nzothiadizaole)]）、ＰＣ６０ＢＭ（6,6-phenyl-C61-butyric acid methyl ester）、ＰＣ７０ＢＭ（6,6-phenyl-C71-butyric acid methyl ester）が挙げられる。これらの材質は、たとえば溶液プロセスに使用される。
【００７１】
図１および図２に示すように、光電変換層３は、光電変換層発電領域３Ａおよび光電変換層照度検出領域３Ｂを有する。光電変換層発電領域３Ａは、ｚ方向視において第１発電領域１Ａと重なる領域である。光電変換層照度検出領域３Ｂは、ｚ方向視において第１照度検出領域１Ｂと重なる領域である。
【００７２】
第２導電層２は、その大部分が光電変換層３を介して第１導電層１上に積層されている。また、第２導電層２の一部は、第１導電層１に直接接している。第２導電層２の材質は特に限定されず、透明であっても不透明であってもよいが、本実施形態においては、第２導電層２は、Ａｌ、Ｗ、Ｍｏ、Ｍｎ、Ｍｇに代表される金属からなる。以下においては、第２導電層２がＡｌからなる場合を例に説明する。したがって、第２導電層２は、不透明である。またこの場合、第２導電層２の支持基板４１とは反対側の表面に、Ａｌ2Ｏ3からなる不動態皮膜（図示略）が形成されてもよい。第２導電層２の厚さは、たとえば３０ｎｍ〜１５０ｎｍである。
【００７３】
図１および図２に示すように、第２導電層２は、第２発電領域２Ａおよび第２照度検出領域２Ｂを有する。第２発電領域２Ａは、ｚ方向視において第１発電領域１Ａと重なる領域である。第２照度検出領域２Ｂは、ｚ方向視において第１照度検出領域１Ｂと重なる領域である。
【００７４】
本実施形態においては、第２発電領域２Ａは、複数の第２区画部２１を有する。複数の第２区画部２１は、第２基板露出領域４１０の一部ずつを挟んで隣り合っている。本実施形態の場合、より具体的には、隣り合う第２区画部２１は、第１区画部第１端縁１１０の第１辺１１１と第１区画部第２端縁１２０の第２辺１２１とを間に挟んで隣り合っている。本実施形態においては、４つの第２区画部２１が３つの第２基板露出領域４１０の一部ずつを挟んで隣り合っている。また、４つの第２区画部２１は、ｘ方向に沿って一直線上に配列されている。なお、以下においては、７つの第２区画部２１を、理解の便宜上、第２区画部２１−１、第２区画部２１−２、第２区画部２１−３、第２区画部２１−４、第２区画部２１−５、第２区画部２１−６および第２区画部２１−７と必要に応じて区別して説明する。
【００７５】
図１および図３に示すように、第２区画部２１は、ｚ方向視において第１区画部１１と重なっている。第２区画部２１は、第２区画部第１端縁２１０、第２区画部第２端縁２２０および２つの第２区画部第３端縁２３０を有する。
【００７６】
第２区画部２１−１〜６（図３における第２区画部２１−２）の第２区画部第１端縁２１０は、第２基板露出領域４１０を規定する第１区画部１１−１〜６（図３における１１−２）の第１区画部第１端縁１１０に対して当該第２基板露出領域４１０を規定する第１区画部１１−２〜７（図３における第１区画部１１−３）の第１区画部第２端縁１２０とは反対側に位置する。第２区画部第２端縁２２０は、ｚ方向視において第２基板露出領域４１０の一部を挟んで隣り合う第２区画部２１の第２区画部第１端縁２１０と対向している。
【００７７】
本実施形態においては、第２区画部第１端縁２１０（図３における第２区画部２１−２の第２区画部第１端縁２１０）と第２区画部第２端縁２２０（図３における第２区画部２１−３の第２区画部第２端縁２２０）とは、互いに平行である。また、第２区画部第１端縁２１０および第２区画部第２端縁２２０は、ｙ方向に沿う直線状である。すなわち、本実施形態においては、第１辺１１１、第２辺１２１、第２区画部第１端縁２１０および第２区画部第２端縁２２０が、互いに平行であり、ｙ方向に沿う直線状である。
【００７８】
２つの第２区画部第３端縁２３０は、第２区画部第１端縁２１０の両端と第２区画部第２端縁２２０の両端とをそれぞれ繋いでいる。２つの第２区画部第３端縁２３０は、互いに平行であり、ｘ方向に沿う直線状である。これらの第２区画部第１端縁２１０、第２区画部第２端縁２２０および２つの第２区画部第３端縁２３０を有する第２区画部２１は、ｚ方向視矩形状である。
【００７９】
図２、図４、図５、図７、図９、図１０、図１１、図１２および図１３に示すように、パッシベーション層４２は、第２導電層２上に積層されており、第２導電層２および光電変換層３を覆っている。パッシベーション層４２は、たとえばＳｉＮまたはＳｉＯＮからなる。パッシベーション層４２の厚さは、たとえば０．５μｍ〜２．０μｍであり、本実施形態においては、たとえば１．５μｍ程度とされる。パッシベーション層４２が光電変換層３を覆っていることにより、光電変換層３に外部から水やパーティクル等が進入することを防止できる。また、パッシベーション層４２は、光電変換層３よりも厚く構成されていることにより、有機薄膜太陽電池モジュールＡ１の強度を向上させることができる。なお、上述のような平坦なパッシベーション層４２は、例えばパッシベーション層４２が光電変換層３に対して厚い層とすること、また後述するＣＶＤを用いた手法によって形成されることにより形成することができ、これに限られない。
【００８０】
副基板４３は、ｚ方向においてパッシベーション層４２に対して支持基板４１とは反対側に配置されている。副基板４３の材質や厚さ等は特に限定されず、パッシベーション層４２に積層可能な種々の構成が採用される。副基板４３は、透明であっても不透明であってもよい。副基板４３の一例としては、たとえばガラス層が挙げられる。なお、パッシベーション層４２と副基板４３とを接合するための接合層（図示略）を設けてもよい。副基板４３は、表面４３１および側面４３２を有する。表面４３１は、ｚ方向を向く面である。側面４３２は、ｚ方向と直角である方向を向く面であり、本実施形態においては、ｘ方向およびｙ方向を向く。
【００８１】
図３〜図５に示すように、第１区画部１１−１〜６（図３における第１区画部１１−２）の第１区画部第１端縁１１０は、第１辺１１１に加えて２つの第１被覆部１１２を有する。第１被覆部１１２は、第１区画部第１端縁１１０のうちｚ方向視において第２区画部２１と重なっており、ｚ方向視において第２区画部２１に被覆されている部分である。本実施形態においては、２つの第１被覆部１１２が、それぞれ第１辺１１１のｙ方向両端部に接続されて設けられている。第１被覆部１１２の形状は特に限定されず、本実施形態においては、第１被覆部１１２は、第１辺１１１に対してｘ方向に突出する形状とされており、第１辺１１２１、第２辺１１２２および第３辺１１２３を有する。第１辺１１２１は、第１区画部第３端縁１３０と平行でありｘ方向に沿う辺である。第２辺１１２２は、第１辺１１２１と交差する方向に沿う辺であり、ｙ方向に沿っている。第３辺１１２３は、第１辺１１２１と第２辺１１２２とを繋ぐ辺であり、図示された例においては、湾曲形状とされている。また、図示された第１被覆部１１２は、一端が第２区画部第２端縁２２０に到達し、他端が第２区画部第３端縁２３０にｚ方向視において交差している。
【００８２】
図３〜図５に示すように、第１区画部１１−２〜７（図３における第１区画部１１−３）の第１区画部第２端縁１２０は、第２辺１２１に加えて２つの第２被覆部１２２を有する。第２被覆部１２２は、第１区画部第２端縁１２０のうちｚ方向視において第２区画部２１と重なる部分である。本実施形態においては、２つの第２被覆部１２２が、第２辺１２１のｙ方向両端部に接続されて設けられている。第２被覆部１２２の形状は特に限定されず、本実施形態においては、第２被覆部１２２は、第２辺１２１に対してｘ方向に凹んだ形状とされており、第１辺１２２１、第２辺１２２２および第３辺１２２３を有する。第１辺１２２１は、第１区画部第３端縁１３０と平行でありｘ方向に沿う辺である。第２辺１２２２は、第１辺１２２１と交差する方向に沿う辺であり、ｙ方向に沿っている。第３辺１２２３は、第１辺１２２１と第２辺１２２２とを繋ぐ辺であり、図示された例においては、湾曲形状とされている。また、図示された第２被覆部１２２は、一端が第２区画部第２端縁２２０に到達し、他端が第２区画部第３端縁２３０に到達している。
【００８３】
上述した第１被覆部１１２および第２被覆部１２２の形状に対応して、本実施形態の第２基板露出領域４１０は、ｚ方向視において第２区画部２１と重なっており、交差部４１５および交差部４１６を有する。交差部４１５は、第２基板露出領域４１０が第２区画部第２端縁２２０と交差する部分である。交差部４１６は、第２基板露出領域４１０が第２区画部第３端縁２３０と交差する部分である。
【００８４】
図１〜図５に示すように、光電変換層３の光電変換層発電領域３Ａは、複数の光電変換層接続部３３を有する。図３〜図５に示すように、光電変換層接続部３３は、ｚ方向視において第２基板露出領域４１０の一部（図３に示す部位の場合、第１区画部１１−２の第１辺１１１と第１区画部１１−３の第２辺１２１とによって規定された部分）を挟んで隣り合う第１導電層１の第１区画部１１（図３に示す部位の場合、第１区画部１１−２）と第２導電層２の第２区画部２１（図３に示す部位の場合、第２区画部２１−３）の双方と重なる部分であって、当該第１区画部１１の第１被覆部１１２および当該第２区画部２１の第２区画部第２端縁２２０によって区画された部分である。また、本実施形態においては、光電変換層接続部３３は、第２区画部第３端縁２３０（図３に示す部位の場合、第２区画部２１−３の第２区画部第３端縁２３０）によって区画されている。すなわち、本実施形態の光電変換層接続部３３は、ｚ方向視において矩形状とされた第２区画部２１（図３に示す部位の場合、第２区画部２１−３）の角部に重なる位置に設けられている。さらに、本実施形態においては、図１に示すように、１つの第２区画部２１に対して、２つの光電変換層接続部３３が、ｙ方向に離間した２つの角部に重なる位置に設けられている。
【００８５】
光電変換層接続部３３には、光電変換層貫通部３３１が形成されている。光電変換層貫通部３３１は、光電変換層３をｚ方向に貫通する貫通孔によって構成されている。光電変換層貫通部３３１の形状や大きさは特に限定されず、図示された例においては、ｚ方向視円形状とされている。また、この光電変換層貫通部３３１の直径は、たとえば４０μｍ程度である。
【００８６】
第１区画部１１−１〜６は、第１接続部１３を有する。第１接続部１３は、ｚ方向視において光電変換層接続部３３と一致する部分である。第２区画部２１は、第２接続部２３を有する、第２接続部２３は、ｚ方向視において光電変換層接続部３３と一致する部分である。第１区画部１１−１〜６の第１接続部１３と第２区画部２１−２〜７の第２接続部２３とは、光電変換層貫通部３３１を通じて互いに接触しており、互いに導通している。このため、第１接続部１３、第２接続部２３および光電変換層接続部３３は、発電を行わない部分となっている。
【００８７】
本実施形態においては、第１区画部１１の第１接続部１３に第１貫通部１３１が設けられている。本実施形態においては、第１導電層１をｚ方向に貫通する貫通孔を第１貫通部１３１と称する。第１貫通部１３１は、ｚ方向視において光電変換層貫通部３３１に内包されている。また、第１貫通部１３１の内端縁は、ｚ方向視において光電変換層貫通部３３１の内端縁から離間している。これにより、第１区画部１１の第１接続部１３の一部が、ｚ方向視において光電変換層貫通部３３１から露出している。この露出した部分に第２導電層２の第２区画部２１−２〜７の第２接続部２３が接触している。また、第２区画部２１−２〜７の第２接続部２３は、第１貫通部１３１を介して支持基板４１に接している。
【００８８】
光電変換層３の光電変換層発電領域３Ａは、複数の光電変換層発電部３２を有している。また、第１導電層１の第１区画部１１は、第１電極部１２を有しており、第２導電層２の第２区画部２１は、第２電極部２２を有している。図１、図３および図６においては、第１電極部１２、第２電極部２２および光電変換層発電部３２に、複数の離散点からなる相対的に薄いトーンのハッチングを付している。第１電極部１２は、ｚ方向視において光電変換層接続部３３と重ならず且つ第２導電層２の第２区画部２１と重なる部分である。言い換えれば第２区画部２１は、ｚ方向視において、第１電極部１２と一致する部分である。光電変換層発電部３２は、ｚ方向視において、第１電極部１２および第２電極部２２と一致する部分である。本実施形態においては、第１電極部１２、第２電極部２２および光電変換層発電部３２は、ｚ方向視において第２区画部第１端縁２１０、第２区画部第２端縁２２０、２つの第２区画部第３端縁２３０および２つの第２被覆部１２２によって規定された部分である。第１電極部１２および第２電極部２２は、光電変換層発電部３２を介して積層されており、互いに接触していない。これにより、第１電極部１２、第２電極部２２および光電変換層発電部３２は、発電を行う部分となっている。
【００８９】
本実施形態においては、ｚ方向視において、光電変換層接続部３３と光電変換層発電部３２の一部とが、ｙ方向において隙間を介して隣り合っている。すなわち、光電変換層接続部３３は、ｘ方向における位置が、光電変換層発電部３２の一部のｘ方向位置と同じである。また、第１接続部１３は、第２基板露出領域４１０を介して隣り合う第１区画部１１の第１電極部１２の一部とｙ方向において隣り合っている。すなわち、当該第１接続部１３は、ｘ方向における位置が、当該第１電極部１２の一部のｘ方向位置と重なっている。
【００９０】
図１および図６に示すように、図中ｘ方向において最も右側に位置する第１区画部１１−１と第３区画部１５とは、基板露出領域４１１を介して隣り合っている。第３区画部１５は、第３区画部端縁１６０を有する。第３区画部１５の第３区画部端縁１６０と第３区画部１５に隣り合う第１区画部１１−１の第１区画部第２端縁１２０とによって、基板露出領域４１１が規定されている。
【００９１】
第３区画部１５の第３区画部端縁１６０は、第３区画部被覆部１６２を有する。第３区画部被覆部１６２は、第３区画部端縁１６０のうちｚ方向視において第２区画部２１−１と重なっており、ｚ方向視において第２区画部２１−１に被覆されている部分である。第３区画部被覆部１６２の形状は特に限定されず、本実施形態においては、第３区画部被覆部１６２は、第１辺１６２１、第２辺１６２２および第３辺１６２３を有する。第１辺１６２１は、第１区画部第３端縁１３０と平行でありｘ方向に沿う辺である。第２辺１６２２は、第１辺１６２１と交差する方向に沿う辺であり、ｙ方向に沿っている。第３辺１６２３は、第１辺１６２１と第２辺１６２２とを繋ぐ辺であり、図示された例においては、湾曲形状とされている。また、図示された第３区画部被覆部１６２は、一端が第２区画部第２端縁２２０に交差し、他端が第２区画部第３端縁２３０にｚ方向視において交差している。
【００９２】
図６および図７に示すように、第１区画部１１−１の第１区画部第２端縁１２０は、第２辺１２１に加えて２つの第２被覆部１２２を有する。第２被覆部１２２は、第１区画部第２端縁１２０のうちｚ方向視において第２区画部２１−１と重なる部分である。本実施形態においては、２つの第２被覆部１２２が、第２辺１２１のｙ方向両端部に接続されて設けられている。第２被覆部１２２の形状は特に限定されず、本実施形態においては、第２被覆部１２２は、第２辺１２１に対してｘ方向に凹んだ形状とされており、第１辺１２２１、第２辺１２２２および第３辺１２２３を有する。第１辺１２２１は、第１区画部第３端縁１３０と平行でありｘ方向に沿う辺である。第２辺１２２２は、第１辺１２２１と交差する方向に沿う辺であり、ｙ方向に沿っている。第３辺１２２３は、第１辺１２２１と第２辺１２２２とを繋ぐ辺であり、図示された例においては、湾曲形状とされている。また、図示された第２被覆部１２２は、一端が第２区画部第２端縁２２０に到達し、他端が第２区画部第３端縁２３０に到達している。
【００９３】
上述した第３区画部被覆部１６２および第２被覆部１２２の形状に対応して、本実施形態の基板露出領域４１１は、ｚ方向視において第２区画部２１−１と重なっており、交差部４１５および交差部４１６を有する。交差部４１５は、基板露出領域４１１が第２区画部第２端縁２２０と交差する部分である。交差部４１６は、基板露出領域４１１が第２区画部第３端縁２３０と交差する部分である。
【００９４】
図１、図２、図６および図７に示すように、第３区画部１５は、外部接続部１５３を有する。外部接続部１５３は、ｚ方向視において第２区画部２１−１の第２接続部２３および光電変換層接続部３３と一致する部分である。外部接続部１５３は、光電変換層貫通部３３１を通じて第２区画部２１−１の第２接続部２３と接触している。本実施形態においては、外部接続部１５３には、外部接続部貫通部１５３１が設けられている。本実施形態においては、第１導電層１の外部接続部１５３をｚ方向に貫通する貫通孔を外部接続部貫通部１５３１と称する。外部接続部貫通部１５３１は、ｚ方向視において光電変換層貫通部３３１に内包されている。また、外部接続部貫通部１５３１の内端縁は、ｚ方向視において光電変換層貫通部３３１の内端縁から離間している。これにより、第３区画部１５の外部接続部１５３の一部が、ｚ方向視において光電変換層貫通部３３１から露出している。この露出した部分に第２導電層２の第２区画部２１−１の第２接続部２３が接触している。また、第２接続部２３は、外部接続部貫通部１５３１を介して支持基板４１に接している。
【００９５】
図６および図１０に示すように、第３区画部１５は、発電用端子１５１を有する。発電用端子１５１は、第３区画部１５のうち第２導電層２、光電変換層３、パッシベーション層４２および副基板４３から露出した部位である。本実施形態においては、発電用端子１５１は、副基板４３の側面４３２と同じ方向を向く端面であり、ｚ方向視において支持基板４１の端縁と一致している。発電用端子１５１は、有機薄膜太陽電池モジュールＡ１の第１発電領域１Ａ、第２発電領域２Ａおよび光電変換層発電領域３Ａにおいて発電された電力を出力する部位であり、たとえば電子機器Ｂ１の端子に導通する。
【００９６】
また、本実施形態においては、図１、図２および図１１に示すように、第１区画部１１−７が、発電用端子１４１を有している。発電用端子１４１は、第１区画部１１−７のうち第２導電層２、光電変換層３、パッシベーション層４２および副基板４３から露出した部分である。本実施形態においては、発電用端子１４１は、副基板４３の側面４３２と同じ方向を向く端面であり、ｚ方向視において支持基板４１の端縁と一致している。発電用端子１４１は、有機薄膜太陽電池モジュールＡ１の第１発電領域１Ａ、第２発電領域２Ａおよび光電変換層発電領域３Ａにおいて発電された電力を出力する部位であり、たとえば電子機器Ｂ１の端子に導通する。
【００９７】
図１０および図１１に示すように、一対の発電用電極５１、発電用電極５２は、有機薄膜太陽電池モジュールＡ１において発電された電力の出力をより適切に行うために設けられている。発電用電極５１は、発電用端子１５１と導通しており、発電用電極５２は、発電用端子１４１と導通している。
【００９８】
図１０に示すように、発電用電極５１は、表面部５１１および側面部５１２を有する。表面部５１１は、副基板４３の表面４３１に形成された部位である。側面部５１２は、表面部５１１と繋がっており、副基板４３の側面４３２の少なくとも一部を覆い且つ発電用端子１５１に接している。発電用電極５１は、導電性材料からなり、好ましくはＡｇペーストからなる。
【００９９】
図１１に示すように、発電用電極５２は、表面部５２１および側面部５２２を有する。表面部５２１は、副基板４３の表面４３１に形成された部位である。側面部５２２は、表面部５２１と繋がっており、副基板４３の側面４３２の少なくとも一部を覆い且つ発電用端子１４１に接している。発電用電極５１は、導電性材料からなり、好ましくはＡｇペーストからなる。
【０１００】
第１導電層１の第１照度検出領域１Ｂ、第２導電層２の第２照度検出領域２Ｂおよび光電変換層３の光電変換層照度検出領域３Ｂは、受けた光の照度に応じた起電力を照度検出信号として出力する照度検出機能を果たす領域である。
【０１０１】
図１、図２、図６〜図９に示すように、第１照度検出領域１Ｂは、第１照度検出区画部１７および第４区画部１８を有しており、第２照度検出領域２Ｂは、第２照度検出区画部２７を有している。
【０１０２】
第１照度検出区画部１７は、第１基板露出領域４１８を介して、第１区画部１１−１とｘ方向に隣り合っている。第１照度検出区画部１７は、第１照度検出区画部第１端縁１７１、第１照度検出区画部第２端縁１７２および２つの第１区画部第３端縁１７３を有する。
【０１０３】
第１照度検出区画部第１端縁１７１は、第１基板露出領域４１８の一部を区画する端縁である。第１照度検出区画部第２端縁１７２は、第３基板露出領域４１９の一部を区画する端縁である。すなわち、第１基板露出領域４１８は、第１照度検出区画部１７の第１照度検出区画部第１端縁１７１と第１区画部１１−１の第１区画部第２端縁１２０とによって規定されている。本実施形態においては、第１照度検出区画部第１端縁１７１は、ｙ方向に沿う直線状である。
【０１０４】
第１区画部第３端縁１７３は、第１照度検出区画部第２端縁１７２の両端と第１照度検出区画部第１端縁１７１の両端とをそれぞれ繋いでいる。本実施形態においては、第１区画部第３端縁１７３は、ｘ方向に沿う直線状である。第１区画部第３端縁１７３は、基板露出領域４１２の一部を規定している。本実施形態の第１照度検出区画部１７は、第１照度検出区画部第１端縁１７１、第１照度検出区画部第２端縁１７２の第２辺１７２１および２つの第１区画部第３端縁１７３によって構成されたｘ方向視略矩形状とされている。
【０１０５】
第４区画部１８は、第３基板露出領域４１９を介して、第１照度検出区画部１７と隣り合っている。第４区画部１８は、第４区画部第１端縁１８１を有する。
【０１０６】
本実施形態においては、図８に示すように、第４区画部第１端縁１８１は、第１辺１８１１および第４区画部被覆部１８１２を有する。第１照度検出区画部第２端縁１７２は、第２辺１７２１および第２被覆部１７２２を有する。第１辺１８１１と第２辺１７２１とは、互いに平行である。また、本実施形態においては、第１辺１８１１と第２辺１７２１とは、いずれもｙ方向に沿う直線状である。これに対応して、本実施形態においては、第３基板露出領域４１９のうち第１辺１８１１および第２辺１７２１に規定されている部分は、ｙ方向に沿う直線状である。
【０１０７】
第２照度検出区画部２７は、ｚ方向視において第１照度検出区画部１７と重なっている。第２照度検出区画部２７は、第２照度検出区画部第１端縁２７１、第２照度検出区画部第２端縁２７２および２つの第２照度検出区画部第３端縁２７３を有する。
【０１０８】
第２照度検出区画部第１端縁２７１は、第１基板露出領域４１８を規定する第１照度検出区画部１７の第１照度検出区画部第１端縁１７１に対して第１区画部１１−１の第１区画部第２端縁１２０とは反対側に位置する。第２照度検出区画部第２端縁２７２は、ｚ方向視において第１基板露出領域４１８の一部を挟んで隣り合う第２区画部２１−１の第２区画部第１端縁２１０と対向している。
【０１０９】
本実施形態においては、第２照度検出区画部第１端縁２７１と第２照度検出区画部第２端縁２７２とは、互いに平行である。また、第２照度検出区画部第１端縁２７１および第２照度検出区画部第２端縁２７２は、ｙ方向に沿う直線状である。
【０１１０】
２つの第２照度検出区画部第３端縁２７３は、第２照度検出区画部第１端縁２７１の両端と第２照度検出区画部第２端縁２７２の両端とをそれぞれ繋いでいる。２つの第２照度検出区画部第３端縁２７３は、互いに平行であり、ｘ方向に沿う直線状である。これらの第２照度検出区画部第１端縁２７１、第２照度検出区画部第２端縁２７２および２つの第２照度検出区画部第３端縁２７３を有する第２照度検出区画部２７は、ｚ方向視矩形状である。
【０１１１】
第４区画部被覆部１８１２は、第４区画部第１端縁１８１のうちｚ方向視において第２照度検出区画部２７と重なっており、ｚ方向視において第２照度検出区画部２７に被覆されている部分である。第４区画部被覆部１８１２の形状は特に限定されず、本実施形態においては、第４区画部被覆部１８１２は、第１辺１８１３、第２辺１８１４および第３辺１８１５を有する。第１辺１８１３は、第１区画部第３端縁１７３と平行でありｘ方向に沿う辺である。第２辺１８１４は、第１辺１８１３と交差する方向に沿う辺であり、ｙ方向に沿っている。第３辺１８１５は、第１辺１８１３と第２辺１８１４とを繋ぐ辺であり、図示された例においては、湾曲形状とされている。また、図示された第４区画部被覆部１８１２は、一端が第２照度検出区画部第２端縁２７２に交差し、他端が第２照度検出区画部第３端縁２７３にｚ方向視において交差している。
【０１１２】
第２被覆部１７２２は、第１照度検出区画部第２端縁１７２のうちｚ方向視において第２照度検出区画部２７と重なる部分である。第２被覆部１７２２の形状は特に限定されず、本実施形態においては、第２被覆部１７２２は、第１辺１７２３、第２辺１７２４および第３辺１７２５を有する。第１辺１７２３は、第１区画部第３端縁１７３と平行でありｘ方向に沿う辺である。第２辺１７２４は、第１辺１７２３と交差する方向に沿う辺であり、ｙ方向に沿っている。第３辺１７２５は、第１辺１７２３と第２辺１７２４とを繋ぐ辺であり、図示された例においては、湾曲形状とされている。また、図示された第１照度検出区画部第２端縁１７２は、一端が第２照度検出区画部第２端縁２７２に交差し、他端が第２照度検出区画部第３端縁２７３に到達している。
【０１１３】
上述した第４区画部被覆部１８１２および第２被覆部１７２２の形状に対応して、本実施形態の第３基板露出領域４１９は、ｚ方向視において第２照度検出区画部２７と重なっており、交差部４１５および交差部４１６を有する。交差部４１５は、第３基板露出領域４１９が第２照度検出区画部第２端縁２７２と交差する部分である。交差部４１６は、第３基板露出領域４１９が第２照度検出区画部第３端縁２７３と交差する部分である。
【０１１４】
図１、図６〜図９に示すように、光電変換層３の光電変換層照度検出領域３Ｂは、光電変換層照度検出接続部３８を有する。図８および図９に示すように、光電変換層照度検出接続部３８は、ｚ方向視において第３基板露出領域４１９の一部を挟んで隣り合う第４区画部１８と第２照度検出区画部２７との双方と重なる部分であって、第４区画部１８の第４区画部被覆部１８１２と第２照度検出区画部２７の第２照度検出区画部第２端縁２７２および第２照度検出区画部第３端縁２７３とによって区画された部分である。本実施形態の光電変換層照度検出接続部３８は、ｚ方向視において矩形状とされた第２照度検出区画部２７の角部に重なる位置に設けられている。
【０１１５】
光電変換層照度検出接続部３８には、光電変換層照度検出貫通部３８１が形成されている。光電変換層照度検出貫通部３８１は、光電変換層３をｚ方向に貫通する貫通孔によって構成されている。光電変換層照度検出貫通部３８１の形状や大きさは特に限定されず、図示された例においては、ｚ方向視円形状とされている。また、この光電変換層照度検出貫通部３８１の直径は、たとえば４０μｍ程度である。
【０１１６】
第４区画部１８は、外部接続部１８３を有する。外部接続部１８３は、ｚ方向視において光電変換層照度検出接続部３８と一致する部分である。第２照度検出区画部２７は、第２接続部２７６を有する。第２接続部２７６は、ｚ方向視において光電変換層照度検出接続部３８と一致する部分である。外部接続部１８３と第２接続部２７６とは、光電変換層照度検出貫通部３８１を通じて互いに接触しており、互いに導通している。このため、外部接続部１８３、第２接続部２７６および光電変換層照度検出接続部３８は、照度検出に寄与する光電変換機能を果たさない部分となっている。
【０１１７】
本実施形態においては、第４区画部１８の外部接続部１８３に外部接続部貫通部１８３１が設けられている。本実施形態においては、第１導電層１をｚ方向に貫通する貫通孔を外部接続部貫通部１８３１と称する。外部接続部貫通部１８３１は、ｚ方向視において光電変換層照度検出貫通部３８１に内包されている。また、外部接続部貫通部１８３１の内端縁は、ｚ方向視において光電変換層照度検出貫通部３８１の内端縁から離間している。これにより、第４区画部１８の外部接続部１８３の一部が、ｚ方向視において光電変換層照度検出貫通部３８１から露出している。この露出した部分に第２照度検出区画部２７の第２接続部２７６が接触している。また、第２接続部２７６は、外部接続部貫通部１８３１を介して支持基板４１に接している。
【０１１８】
光電変換層３の光電変換層照度検出領域３Ｂは、光電変換層照度検出部３７を有している。また、第１導電層１の第１照度検出区画部１７は、第１電極部１７５を有しており、第２導電層２の第２照度検出区画部２７は、第２電極部２７５を有している。図１、図６および図８においては、第１電極部１７５、第２電極部２７５および光電変換層照度検出部３７に、複数の離散点からなる相対的に濃いトーンのハッチングを付している。第１電極部１７５は、ｚ方向視において光電変換層照度検出接続部３８と重ならず且つ第２照度検出区画部２７と重なる部分である。言い換えれば第２電極部２７５は、ｚ方向視において、第１電極部１７５と一致する部分である。光電変換層照度検出部３７は、ｚ方向視において、第１電極部１７５および第２電極部２７５と一致する部分である。本実施形態においては、第１電極部１７５、第２電極部２７５および光電変換層照度検出部３７は、ｚ方向視において第２照度検出区画部第１端縁２７１、第２照度検出区画部第２端縁２７２、２つの第２照度検出区画部第３端縁２７３および第２被覆部１７２２によって規定された部分である。第１電極部１７５および第２電極部２７５は、光電変換層照度検出部３７を介して積層されており、互いに接触していない。これにより、第１電極部１７５、第２電極部２７５および光電変換層照度検出部３７は、照度検出に寄与する光電変換機能を果たす部分となっている。
【０１１９】
本実施形態においては、ｚ方向視において、光電変換層照度検出接続部３８と光電変換層照度検出部３７の一部とが、ｙ方向において隙間を介して隣り合っている。すなわち、光電変換層照度検出接続部３８は、ｘ方向における位置が、光電変換層照度検出部３７の一部のｘ方向位置と同じである。また、外部接続部１８３は、第３基板露出領域４１９を介して隣り合う第１照度検出区画部１７の第１電極部１７５の一部とｙ方向において隣り合っている。すなわち、外部接続部１８３は、ｘ方向における位置が、第１電極部１７５の一部のｘ方向位置と重なっている。
【０１２０】
図８、図９および図１２に示すように、第４区画部１８は、照度検出用端子１８５を有する。照度検出用端子１８５は、第４区画部１８のうち第２導電層２、光電変換層３、パッシベーション層４２および副基板４３から露出した部位である。本実施形態においては、照度検出用端子１８５は、副基板４３の側面４３２と同じ方向を向く端面であり、ｚ方向視において支持基板４１の端縁と一致している。照度検出用端子１８５は、有機薄膜太陽電池モジュールＡ１の第１照度検出領域１Ｂ、第２照度検出領域２Ｂおよび光電変換層照度検出領域３Ｂにおいて受けた光の照度に応じた起電力を照度検出信号として出力する部位であり、たとえば電子機器Ｂ１の端子に導通する。
【０１２１】
また、本実施形態においては、図１、図２および図１３に示すように、第１照度検出区画部１７が、照度検出用端子１７９を有している。照度検出用端子１７９は、第１照度検出区画部１７のうち第２導電層２、光電変換層３、パッシベーション層４２および副基板４３から露出した部分である。本実施形態においては、照度検出用端子１７９は、副基板４３の側面４３２と同じ方向を向く端面であり、ｚ方向視において支持基板４１の端縁と一致している。照度検出用端子１７９は、有機薄膜太陽電池モジュールＡ１においての第１照度検出領域１Ｂ、第２照度検出領域２Ｂおよび光電変換層照度検出領域３Ｂにおいて受けた光の照度に応じた起電力を照度検出信号として出力する部位であり、たとえば電子機器Ｂ１の端子に導通する。
【０１２２】
図１２および図１３に示すように、一対の照度検出用電極５３，５４は、有機薄膜太陽電池モジュールＡ１の照度検出信号の出力をより適切に行うために設けられている。照度検出用電極５３は、照度検出用端子１８５と導通しており、照度検出用電極５４は、照度検出用端子１７９と導通している。
【０１２３】
図１２に示すように、照度検出用電極５３は、表面部５３１および側面部５３２を有する。表面部５３１は、副基板４３の表面４３１に形成された部位である。側面部５３２は、表面部５３１と繋がっており、副基板４３の側面４３２の少なくとも一部を覆い且つ照度検出用端子１８５に接している。照度検出用電極５３は、導電性材料からなり、好ましくはＡｇペーストからなる。
【０１２４】
図１３に示すように、照度検出用電極５４は、表面部５４１および側面部５４２を有する。表面部５４１は、副基板４３の表面４３１に形成された部位である。側面部５４２は、表面部５４１と繋がっており、副基板４３の側面４３２の少なくとも一部を覆い且つ照度検出用端子１７９に接している。照度検出用電極５４は、導電性材料からなり、好ましくはＡｇペーストからなる。
【０１２５】
図１、図２および図１４から理解されるように、本実施形態においては、有機薄膜太陽電池モジュールＡ１の第１発電領域１Ａ、第２発電領域２Ａおよび光電変換層発電領域３Ａにおいて、７組の第１電極部１２、第２電極部２２および光電変換層発電部３２が、６組の第１接続部１３、第２接続部２３および光電変換層接続部３３を介して互いに直接に接続されている。直列接続された７組の第１電極部１２、第２電極部２２および光電変換層発電部３２において発電された電力は、発電用端子１４１（発電用電極５２）および発電用端子１５１（発電用電極５１）から出力される。この電力は、電子機器Ｂ１の駆動部７１の駆動に用いられる。
【０１２６】
また、有機薄膜太陽電池モジュールＡ１の第１照度検出領域１Ｂ、第２照度検出領域２Ｂおよび光電変換層照度検出領域３Ｂにおいて、第１電極部１７５、第２電極部２７５および光電変換層照度検出部３７によって受けた光に応じた起電力が生じ、この起電力が照度検出信号として照度検出用端子１７９（照度検出用電極５４）および照度検出用端子１８５（照度検出用電極５３）から出力される。この照度検出信号は、電子機器Ｂ１の制御部７２に入力され、制御部７２による電子機器Ｂ１の各部の制御に用いられる。
【０１２７】
次に、有機薄膜太陽電池モジュールＡ１の製造方法の一例について、図１５〜図２２を参照しつつ、以下に説明する。なお、図１５、図１７、図１９および図２１は、図３と同様の部分を示す要部拡大平面図であり、図１６、図１８、図２０および図２２は、図４と同様の部分を示す要部拡大断面図である。なお、有機薄膜太陽電池モジュールＡ１のうち図４に示す部分以外の部分についても、図４に示す部分とともに一括して製造される。
【０１２８】
まず、図１５および図１６に示すように、支持基板４１の片面にたとえばスパッタ法などの一般的な手法によりＩＴＯを成膜することにより、第１導電膜１０を形成する。次いで、第１導電膜１０をパターニングすることにより、第２基板露出領域４１０、基板露出領域４１１および基板露出領域４１２を形成し、複数の第１区画部１１および第３区画部１５が得られる。第１導電膜１０へのパターニング手法としては、たとえばウエットエッチングを用いた手法、Ｇｒｅｅｎレーザー光やＩＲレーザー光等のレーザーパターニングを用いた手法が適宜採用される。本実施形態においては、レーザー光Ｌｚ１として、ＩＲレーザー光が用いられる。なお、図１５においては、後述する工程を経ることにより第１被覆部１１２および第２被覆部１２２となる部位に理解の便宜上、符号を付している。
【０１２９】
次いで、図１７および図１８に示すように、有機膜３０を形成する。有機膜３０の形成は、たとえば、スピンコート塗布により支持基板４１上および第１導電膜１０上に有機膜を成膜することによりなされる。次いで、有機膜３０に対して光電変換層貫通部３３１を形成する。光電変換層貫通部３３１の形成は、たとえばレーザーパターニングによってなされる。このレーザーパターニングに用いられるレーザー光Ｌｚ２は、光電変換層貫通部３３１を部分的に除去可能であるものが適宜選択される。本実施形態においては、レーザー光Ｌｚ２としてＩＲレーザー光を用いたレーザーパターニングを行った場合を例に説明する。この場合、レーザー光Ｌｚ２は、有機膜３０と第１導電膜１０との一部ずつを除去する。このため、有機膜３０に光電変換層貫通部３３１が形成されるとともに、第１導電膜１０に第１貫通部１３１が形成される。このパターニングを経ることにより、図１９および図２０に示すように、第１導電層１および光電変換層３が得られる。第１導電層１は、上述した第１発電領域１Ａおよび第１照度検出領域１Ｂを有し、光電変換層３は、上述した光電変換層発電領域３Ａおよび光電変換層照度検出領域３Ｂを有する。
【０１３０】
次いで、図２１および図２２に示すように、第２導電層２を形成する。第２導電層２の形成は、たとえば上述した金属を真空加熱蒸着法によって支持基板４１、第１導電層１および光電変換層３上に金属膜を成膜する。該当金属膜は、金属マスクを介して蒸着されることによりパターニングが施される。このパターニングにより、第１導電層１上および光電変換層３上に複数の第２区画部２１を有する第２導電層２を形成する。第２導電層２は、上述した第２発電領域２Ａおよび第２照度検出領域２Ｂを有する。この後は、たとえばプラズマＣＶＤ法によってＳｉＮまたはＳｉＯＮを支持基板４１、第１導電層１、光電変換層３および第２導電層２上に成膜することにより、パッシベーション層４２を形成する。次いで、パッシベーション層４２上に副基板４３を積層する。そして、たとえばＡｇペーストを副基板４３等の適所に塗布することにより、一対の発電用電極５１，５２および一対の照度検出用電極５３，５４を形成する。以上の工程を経ることにより、有機薄膜太陽電池モジュールＡ１が得られる。
【０１３１】
次に、有機薄膜太陽電池モジュールＡ１および電子機器Ｂ１の作用について説明する。
【０１３２】
本実施形態によれば、有機薄膜太陽電池モジュールＡ１は、第１発電領域１Ａ、第２発電領域２Ａおよび光電変換層発電領域３Ａにおいて発電された電力が、一対の発電用端子１４１，１５１から出力されるとともに、第１照度検出領域１Ｂ、第２照度検出領域２Ｂおよび光電変換層照度検出領域３Ｂにおいて受けた光に応じて生じた起電力を照度検出信号として一対の照度検出用端子１７９，１８５から出力される。このため、有機薄膜太陽電池モジュールＡ１が搭載される電子機器Ｂ１には、照度検出のためのセンサ等を搭載する必要がない。
【０１３３】
発電機能を果たす第１発電領域１Ａ、第２発電領域２Ａおよび光電変換層発電領域３Ａと、照度検出機能を果たす第１照度検出領域１Ｂ、第２照度検出領域２Ｂおよび光電変換層照度検出領域３Ｂは、いずれも同一の第１導電膜１０、有機膜３０および金属膜の一部ずつからなる。このため、発電機能と照度検出機能とを果たす有機薄膜太陽電池モジュールＡ１を、効率よく製造することができる。
【０１３４】
有機薄膜からなる光電変換層３の一部を光電変換層照度検出領域３Ｂとして用いることにより、光電変換層照度検出領域３Ｂが受けた照度と光電変換層照度検出領域３Ｂにおいて生じる短絡電流の大きさとが、比較的良好な比例関係を示す。これは、照度検出の精度を高めるのに適している。
【０１３５】
副基板４３を設けることにより、有機薄膜太陽電池モジュールＡ１の強度向上を図ることができる。また、第１区画部１１−７、第３区画部１５、第４区画部１８および第１照度検出区画部１７の端面である発電用端子１４１、発電用端子１５１、照度検出用端子１８５および照度検出用端子１７９と発電用電極５１、発電用電極５２、照度検出用電極５３および照度検出用電極５４とを接しさせる構成であることから、これらの導通を図ることを目的として副基板４３に貫通孔等を設ける必要が無い。これは、有機薄膜太陽電池モジュールＡ１の強度向上に有利である。
【０１３６】
図１０〜図１３に示すように、発電用電極５１、発電用電極５２、照度検出用電極５３および照度検出用電極５４は、副基板４３の表面４３１の一部を覆い、且つ表面４３１から側面４３２の一部を介して支持基板４１の側面まで延在している。ここで、発電用電極５１、発電用電極５２、照度検出用電極５３および照度検出用電極５４の各々の端部は、支持基板４１の側面に位置しており、支持基板４１の表面４１ａとは離間して配置されている。言い換えれば、発電用電極５１、発電用電極５２、照度検出用電極５３および照度検出用電極５４は、支持基板４１の表面を覆わない配置となっている。発電用電極５１、発電用電極５２、照度検出用電極５３および照度検出用電極５４がこのような配置となっていることにより、有機薄膜太陽電池モジュールＡ１の発電機能や照度検出機能に必要な電極を設けつつも、光電変換層発電部３２や光電変換層照度検出部３７等に向かう光量が各電極によって妨げられて減少してしまうことを抑制でき、また、有機薄膜太陽電池モジュールＡ１のデザインに影響を与える支持基板４１の表面４１ａたる外観（光が向かってくる側）におけるデザイン性の低下を抑制することができる。
【０１３７】
また、図３に示すように、光電変換層接続部３３を区画する第１区画部１１−２の第１被覆部１１２によってその一部が規定された第２基板露出領域４１０は、第２区画部２１−３の第２区画部第２端縁２２０と交差する交差部４１５を有する。これにより、第２区画部２１−３の第２区画部第２端縁２２０に沿って光電変換層接続部３３が部分的に設けられる構成となり、第２区画部２１−３の第２区画部第２端縁２２０の全長にわたって光電変換層接続部３３が設けられる構成とはならない。したがって、光電変換層３のうち非発電の部分である光電変換層接続部３３の面積割合を減少させることが可能であり、実際に発電に寄与する部分である光電変換層発電部３２の減少を抑制することができる。
【０１３８】
また、図３に示す例においては、第２基板露出領域４１０は、１の交差部４１５と１つの交差部４１６とを有している。すなわち、光電変換層接続部３３を区画する第２基板露出領域４１０は、第２区画部２１−３の第２区画部第２端縁２２０から延びて第２区画部２１−３の第２区画部第３端縁２３０と交差している。たとえば、本例とは異なり、第２基板露出領域４１０が第２区画部２１−３の第２区画部第２端縁２２０と２箇所で交差する場合、本例と比べてｚ方向視において第２区画部２１−３と重なる第２基板露出領域４１０が長くなる。第２基板露出領域４１０は、非発電の部分であるため、このような非発電の部分の面積割合を縮小するのに適している。
【０１３９】
光電変換層貫通部３３１は、たとえば直径が４０μｍ程度の貫通孔によって構成されている。このため、光電変換層貫通部３３１を含む光電変換層接続部３３の面積をより縮小させることができる。
【０１４０】
第１貫通部１３１は、図１８に示すレーザー光Ｌｚ２としてたとえばＩＲレーザー光を用いた場合に、光電変換層貫通部３３１と一括して形成される。このＩＲレーザー光は、ＩＴＯからなる第１導電層１を部分的に除去可能であるため、図１６に示す第１導電膜１０のレーザーパターニングにおけるレーザー光Ｌｚ１として用いることができる。これにより、図１５〜図２２に示す有機薄膜太陽電池モジュールＡ１の製造方法において、レーザー光Ｌｚ１およびレーザー光Ｌｚ２として、１種類のレーザー光（ＩＲレーザー光）を用いれば済む。これは、製造方法および製造装置の簡略化に好ましく、制造時間の短縮に寄与する。
【０１４１】
第２区画部２１の２つの角部に重なる位置に２組の第１接続部１３、第２接続部２３および光電変換層接続部３３を設けることにより、隣り合う２組の第１電極部１２、第２電極部２２および光電変換層発電部３２の間の抵抗をより低くすることができる。また、仮に一方の組の第１接続部１３、第２接続部２３および光電変換層接続部３３における導通が不適切な状態となったとしても、他方の組の第１接続部１３、第２接続部２３および光電変換層接続部３３によって隣り合う２組の第１電極部１２、第２電極部２２および光電変換層発電部３２を適切に接続することができる。
【０１４２】
図２３〜図３０は、本発明の変形例および他の実施形態を示している。なお、これらの図において、上記実施形態と同一または類似の要素には、上記実施形態と同一の符号を付している。
【０１４３】
図２３は、有機薄膜太陽電池モジュールＡ１の変形例を示している。本変形例においては、第１区画部１１（図２３における第１区画部１１−２）の第１接続部１３に、上述した第１貫通部１３１が形成されていない。すなわち、ｚ方向視において光電変換層貫通部３３１に内包される領域においては、支持基板４１は、第１導電層１の第１接続部１３（図２３における第１区画部１１−２の第１接続部１３）によって覆われている。このような構成は、たとえば、有機膜３０に光電変換層貫通部３３１を形成するためのレーザーパターニングにおいて、レーザー光Ｌｚ２としてＧｒｅｅｎレーザー光を用いるとともに、出力や照射時間を適切に設定することによって実現しうる。
【０１４４】
このような変形例によっても、実際に発電に寄与する部分である光電変換層発電部３２の減少を抑制することができる。なお、以降の実施形態においては、光電変換層貫通部３３１が設けられた領域において、第１貫通部１３１を形成してもよいし、第１貫通部１３１を形成しなくてもよい。
【０１４５】
図２４は、本発明の第２実施形態に基づく有機薄膜太陽電池モジュールを示す要部拡大平面図である。本実施形態の有機薄膜太陽電池モジュールＡ２においては、第１接続部１３、第２接続部２３および光電変換層接続部３３の構成が、上述した実施形態と異なっている。本実施形態においては、第１接続部１３、第２接続部２３および光電変換層接続部３３を区画する第２基板露出領域４１０は、第２区画部２１−３の第２区画部第２端縁２２０と交差する２つの交差部４１５を有している。２つの交差部４１５は、ｙ方向に互いに離間している。また、この第１区画部１１−２の第１接続部１３、第２区画部２１−３の第２接続部２３および光電変換層接続部３３のｙ方向両側に、第１区画部１１−３の第１電極部１２、第２区画部２１−３の第２電極部２２および光電変換層発電部３２が位置している。すなわち、この第１区画部１１−２の第１接続部１３、第２区画部２１−３の第２接続部２３および光電変換層接続部３３は、ｙ方向において第１区画部１１−２の第１電極部１２、第２区画部２１−３第２電極部２２および光電変換層発電部３２に挟まれている。本実施形態においては、第１被覆部１１２は、２つの第１辺１１２１、第２辺１１２２および２つの第３辺１１２３を有する。また、第２被覆部１２２は、２つの第１辺１２２１、第２辺１２２２および２つの第３辺１２２３を有する。
【０１４６】
このような実施形態によっても、有機薄膜太陽電池モジュールＡ２によって発電機能と照度検出機能とを果たすことができる。また、図２４に示す光電変換層接続部３３は、非発電の領域であるものの、これを区画する第２基板露出領域４１０が、第２区画部２１−３の第２区画部第２端縁２２０と交差する２つの交差部４１５を有する構成となっている。言い換えると、光電変換層接続部３３のｙ方向両側には、光電変換層発電部３２が位置している。これにより、第２区画部第２端縁２２０の全長にわたって光電変換層接続部３３が設けられている構成と比べて、光電変換層発電部３２減少を抑制することができる。
【０１４７】
図２５は、本発明の第３実施形態に基づく有機薄膜太陽電池モジュールＡ３を示す要部拡大平面図である。本実施形態においては、第１接続部１３、第２接続部２３および光電変換層接続部３３が、第２区画部２１のｙ方向全長にわたって設けられている。光電変換層接続部３３には、複数の光電変換層貫通部３３１が形成されている。このような実施形態によっても、有機薄膜太陽電池モジュールＡ３によって発電機能と照度検出機能とを果たすことができる。
【０１４８】
図２６は、本発明の第４実施形態に基づく有機薄膜太陽電池モジュールＡ４を示す要部拡大平面図である。本実施形態においては、第２接続部２３が、第２電極部２２に対してｙ方向に延出した形状とされている。これに対応して、第１接続部１３および光電変換層接続部３３は、第２電極部２２（第１接続部１３および光電変換層接続部３３）に対してｙ方向に配置されている。このような実施形態によっても、有機薄膜太陽電池モジュールＡ４によって発電機能と照度検出機能とを果たすことができる。
【０１４９】
図２７は、本発明の第５実施形態に基づく有機薄膜太陽電池モジュールＡ５を示している。本実施形態においては、第１発電領域１Ａ、第２発電領域２Ａおよび光電変換層発電領域３Ａが、第１照度検出領域１Ｂ、第２照度検出領域２Ｂおよび光電変換層照度検出領域３Ｂを挟んでｘ方向両側に配置されている。第１照度検出領域１Ｂは、２つの第１基板露出領域４１８によって第１発電領域１Ａと区画されている。本実施形態においては、第１発電領域１Ａ、第２発電領域２Ａおよび光電変換層発電領域３Ａについて、２対の発電用電極５１，５２が設けられている。このような実施形態によっても、有機薄膜太陽電池モジュールＡ５によって発電機能と照度検出機能とを果たすことができる。
【０１５０】
本発明に係る有機薄膜太陽電池モジュールおよび電子機器は、上述した実施形態に限定されるものではない。本発明に係る有機薄膜太陽電池モジュールおよび電子機器の各部の具体的な構成は、種々に設計変更自在である。
【０１５１】
第１発電領域１Ａに含まれる第１区画部１１の個数は特に限定されず、１つおよび複数のいずれであってもよい。１つの第１区画部１１が略環状とされることにより、第１区画部１１が開口部分を有する構成であってもよい。また、複数の第１区画部１１が環状に配置された構成であってもよい。
【０１５２】
図２８は、本発明の第６実施形態に基づく有機薄膜太陽電池モジュールを示している。本実施形態の有機薄膜太陽電池モジュールＡ６は、発電用電極５２の配置が上述した有機薄膜太陽電池モジュールＡ１と異なっている。
【０１５３】
有機薄膜太陽電池モジュールＡ１においては、発電用電極５２が、副基板４３の２つの側面４３２の一部ずつを覆っていたのに対し、本実施形態においては、発電用電極５２は、副基板４３の１つの側面４３２の一部を覆っている。そして、発電用電極発電用電極５２と発電用電極５１とは、ｘ方向に沿う同一の側面４３２の一部を覆っている。また、照度検出用電極５３と照度検出用電極５４とは、ｙ方向に沿う同一の側面４３２の一部を覆っている。これにより、発電用電極５１、発電用電極５２、照度検出用電極５３および照度検出用電極５４は、側面部５１２、側面部５２２、側面部５３２および側面部５４２が平面視において副基板４３から僅かに突出するが、本実施形態においては、これらの突出部分が平面視における副基板４３の二辺に集約されている。このため副基板４３の他の二辺には、突出部分は設けられていない。したがって、発電用電極５１、発電用電極５２、照度検出用電極５３および照度検出用電極５４を設けることによる有機薄膜太陽電池モジュールＡ６の面積増大を抑制することができる。
【０１５４】
図２９および図３０は、本発明の第７実施形態に基づく有機薄膜太陽電池モジュールを示している。本実施形態の有機薄膜太陽電池モジュールＡ７は、副基板４３を備えない点と、発電用電極５１、発電用電極５２、照度検出用電極５３および照度検出用電極５４と、発電用端子１４１、発電用端子１５１、照度検出用端子１８５および照度検出用端子１７９とを導通させる具体的構造とが、上述した有機薄膜太陽電池モジュールＡ１と異なっている。
【０１５５】
図３０によく表れているように、有機薄膜太陽電池モジュールＡ７は、これまでの実施形態に設けられていた副基板４３を備えていない構成となっている。また、図３０に示された照度検出用電極５３を例に説明すると、照度検出用電極５３は、パッシベーション層４２の表面を覆う表面部５３１を有するものの、パッシベーション層４２等の側面を覆う部分を有していない。また、パッシベーション層４２には貫通部４２１が設けられている。貫通部４２１は、パッシベーション層４２を厚さ方向に貫通しており、平面視において第４区画部１８と重なっている。本実施形態においては、貫通部４２１を通じて、照度検出用電極５３と第４区画部１８とが接している。すなわち、第４区画部１８のうち貫通部４２１から露出した部分が、照度検出用端子１８５となっている。図２９に示すように、発電用電極５１、発電用電極５２および照度検出用電極５４についても同様に、パッシベーション層４２の対応する箇所に貫通部４２１がそれぞれ設けられている。そして、第１区画部１１−７、第３区画部１５および第１照度検出区画部１７のうちそれぞれに対応する貫通部４２１から露出する部分が、発電用端子１４１、発電用端子１５１および照度検出用端子１７９となっており、発電用電極５１、発電用電極５２および照度検出用電極５４と導通している。
【０１５６】
このような実施形態によれば、発電用電極５１、発電用電極５２、照度検出用電極５３および照度検出用電極５４を、平面視において支持基板４１からはみ出さないように配置することが可能である。これにより、発電用電極５１、発電用電極５２、照度検出用電極５３および照度検出用電極５４を設けることによる有機薄膜太陽電池モジュールＡ７の面積の増大を抑制することができる。
【符号の説明】
【０１５７】
Ａ１〜Ａ７：有機薄膜太陽電池モジュール
Ｂ１      ：電子機器
１        ：第１導電層
１Ａ      ：第１発電領域
１Ｂ      ：第１照度検出領域
２        ：第２導電層
２Ａ      ：第２発電領域
２Ｂ      ：第２照度検出領域
３        ：光電変換層
３Ａ      ：光電変換層発電領域
３Ｂ      ：光電変換層照度検出領域
１０      ：第１導電膜
１１，１１−１〜７：第１区画部
１２      ：第１電極部
１３      ：第１接続部
１５      ：第３区画部
１７      ：第１照度検出区画部
１８      ：第４区画部
２１，２１−１〜７：第２区画部
２２      ：第２電極部
２３      ：第２接続部
２７      ：第２照度検出区画部
３０      ：有機膜
３２      ：光電変換層発電部
３３      ：光電変換層接続部
３７      ：光電変換層照度検出部
３８      ：光電変換層照度検出接続部
４１      ：支持基板
４１ａ    ：表面
４２      ：パッシベーション層
４２１    ：貫通部
４３      ：副基板
５１      ：発電用電極
５２      ：発電用電極
５３      ：照度検出用電極
５４      ：照度検出用電極
７１      ：駆動部
７２      ：制御部
１１０    ：第１区画部第１端縁
１１１    ：第１辺
１１２    ：第１被覆部
１２０    ：第１区画部第２端縁
１２１    ：第２辺
１２２    ：第２被覆部
１３０    ：第１区画部第３端縁
１３１    ：第１貫通部
１４１    ：発電用端子
１５１    ：発電用端子
１５３    ：外部接続部
１６０    ：第３区画部端縁
１６２    ：第３区画部被覆部
１７１    ：第１照度検出区画部第１端縁
１７２    ：第１照度検出区画部第２端縁
１７３    ：第１区画部第３端縁
１７５    ：第１電極部
１７９    ：照度検出用端子
１８１    ：第４区画部第１端縁
１８３    ：外部接続部
１８５    ：照度検出用端子
２１０    ：第２区画部第１端縁
２２０    ：第２区画部第２端縁
２３０    ：第２区画部第３端縁
２７１    ：第２照度検出区画部第１端縁
２７２    ：第２照度検出区画部第２端縁
２７３    ：第２照度検出区画部第３端縁
２７５    ：第２電極部
２７６    ：第２接続部
３３１    ：光電変換層貫通部
３８１    ：光電変換層照度検出貫通部
４１０    ：第２基板露出領域
４１１    ：基板露出領域
４１２    ：基板露出領域
４１５    ：交差部
４１６    ：交差部
４１８    ：第１基板露出領域
４１９    ：第３基板露出領域
４３１    ：表面
４３２    ：側面
５１１    ：表面部
５１２    ：側面部
５２１    ：表面部
５２２    ：側面部
５３１    ：表面部
５３２    ：側面部
５４１    ：表面部
５４２    ：側面部
１１２１  ：第１辺
１１２２  ：第２辺
１１２３  ：第３辺
１２２１  ：第１辺
１２２２  ：第２辺
１２２３  ：第３辺
１５３１  ：外部接続部貫通部
１６２１  ：第１辺
１６２２  ：第２辺
１６２３  ：第３辺
１７２１  ：第２辺
１７２２  ：第２被覆部
１７２３  ：第１辺
１７２４  ：第２辺
１７２５  ：第３辺
１８１１  ：第１辺
１８１２  ：第４区画部被覆部
１８１３  ：第１辺
１８１４  ：第２辺
１８１５  ：第３辺
１８３１  ：外部接続部貫通部
Ｌｚ１，Ｌｚ２    ：レーザー光
【図１】
2017174999.tif 000003
【図２】
2017174999.tif 000004
【図３】
2017174999.tif 000005
【図４】
2017174999.tif 000006
【図５】
2017174999.tif 000007
【図６】
2017174999.tif 000008
【図７】
2017174999.tif 000009
【図８】
2017174999.tif 000010
【図９】
2017174999.tif 000011
【図１０】
2017174999.tif 000012
【図１１】
2017174999.tif 000013
【図１２】
2017174999.tif 000014
【図１３】
2017174999.tif 000015
【図１４】
2017174999.tif 000016
【図１５】
2017174999.tif 000017
【図１６】
2017174999.tif 000018
【図１７】
2017174999.tif 000019
【図１８】
2017174999.tif 000020
【図１９】
2017174999.tif 000021
【図２０】
2017174999.tif 000022
【図２１】
2017174999.tif 000023
【図２２】
2017174999.tif 000024
【図２３】
2017174999.tif 000025
【図２４】
2017174999.tif 000026
【図２５】
2017174999.tif 000027
【図２６】
2017174999.tif 000028
【図２７】
2017174999.tif 000029
【図２８】
2017174999.tif 000030
【図２９】
2017174999.tif 000031
【図３０】
2017174999.tif 000032